【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
無線通信システム内で基地局において信号を送信する方法であって、
移動局に１つ以上の資源ユニットを送信することであって、各資源ユニットは、複数のＯＦＤＭＡシンボルによって、１８個のサブキャリアで構成される、ことを包含し、
該１つ以上の資源ユニットは、パーミュテーションユニットとして、１つのＯＦＤＭＡシンボルによってＸ個の連続サブキャリアを用いて順序を入れ替えられ、
該Ｘは、２の倍数であり、かつ１８の除数である正の整数である、方法。
【請求項２】
前記Ｘが２または６である、請求項１に記載の方法。
【請求項３】
前記Ｘが２である、請求項２に記載の方法。
【請求項４】
各資源ユニットが５、６、または７個のＯＦＤＭＡシンボルで構成される、請求項１に記載の方法。
【請求項５】
前記資源ユニットは、物理資源ユニット（ＰＲＵ）を含む、請求項１に記載の方法。
【請求項６】
無線通信システム内で移動局において信号を受信する方法であって、
基地局から１つ以上の資源ユニットを受信することであって、各資源ユニットは、複数のＯＦＤＭＡシンボルによって、１８個のサブキャリアで構成される、ことを包含し、
該１つ以上の資源ユニットは、パーミュテーションユニットとして、１つのＯＦＤＭＡシンボルによって、Ｘ個の連続サブキャリアを用いて順序を入れ替えられ、
該Ｘは、２の倍数であり、かつ１８の除数である正の整数である、方法。
【請求項７】
前記Ｘが２または６である、請求項６に記載の方法。
【請求項８】
前記Ｘが２である、請求項７に記載の方法。
【請求項９】
各資源ユニットが５、６、または７個のＯＦＤＭＡシンボルで構成される、請求項６に記載の方法。
【請求項１０】
前記資源ユニットは、物理資源ユニット（ＰＲＵ）を含む、請求項６に記載の方法。
【請求項１１】
無線通信システム内で信号を送信するように構成された装置であって、該装置は、
メモリと、
該メモリに動作可能に接続され、１つ以上の資源ユニットを送信するように構成されるプロセッサであって、各資源ユニットは、複数のＯＦＤＭＡシンボルによって、１８個のサブキャリアで構成される、プロセッサと
を備え、
該１つ以上の資源ユニットは、パーミュテーションユニットとして、１つのＯＦＤＭＡシンボルによって、Ｘ個の連続サブキャリアを用いて順序を入れ替えられ、
該Ｘは、２の倍数であり、かつ１８の除数である正の整数である、装置。
【請求項１２】
前記Ｘが２または６である、請求項１１に記載の装置。
【請求項１３】
前記Ｘが２である、請求項１２に記載の装置。
【請求項１４】
各資源ユニットが５、６、または７個のＯＦＤＭＡシンボルで構成される、請求項１１に記載の装置。
【請求項１５】
前記資源ユニットは、物理資源ユニット（ＰＲＵ）を含む、請求項１１に記載の装置。
【請求項１６】
無線通信システム内で信号を受信するように構成された装置であって、該装置は、
メモリと、
該メモリに動作可能に接続され、１つ以上の資源ユニットを受信するように構成されるプロセッサであって、各資源ユニットは、複数のＯＦＤＭＡシンボルによって、１８個のサブキャリアで構成される、プロセッサと
を備え、
該１つ以上の資源ユニットは、パーミュテーションユニットとして、１つのＯＦＤＭＡシンボルによって、Ｘ個の連続サブキャリアを用いて順序を入れ替えられ、
該Ｘは、２の倍数であり、かつ１８の除数である正の整数である、装置。
【請求項１７】
前記Ｘが２または６である、請求項１６に記載の装置。
【請求項１８】
前記Ｘが２である、請求項１７に記載の装置。
【請求項１９】
各資源ユニットが５、６、または７個のＯＦＤＭＡシンボルで構成される、請求項１６に記載の装置。
【請求項２０】
前記資源ユニットは、物理資源ユニット（ＰＲＵ）を含む、請求項１６に記載の装置。
【手続補正２】
【補正対象書類名】明細書
【補正対象項目名】００２２
【補正方法】変更
【補正の内容】
【００２２】
本発明の他の様相において、前記通信機器は無線通信ネットワークの移動通信端末で、前記移動通信端末は、前記ＰＲＵを受信してデコーディングするように構成される。
例えば、本発明は以下の項目を提供する。
（項目１）
移動通信端末と基地局との間での無線で通信する方法であって、
上記基地局と上記移動通信端末との間で物理資源ユニット（ｐｈｙｓｉｃａｌ  ｒｅｓｏｕｒｃｅ  ｕｎｉｔ、ＰＲＵ）を交換することを含み、
上記物理資源ユニットは、複数のＯＦＤＭＡシンボルを含み、
それぞれの１番目のＯＦＤＭＡシンボルは、予め決定されたパイロット割り当て方式によって割り当てられるｎｌ個のパイロットサブキャリアを含み、
上記ｌ番目のＯＦＤＭＡシンボルのうち残っているＬＤＲＵ・（Ｐｓｃ−ｎｌ）個のデータサブキャリアは、インデックス０からＬＤＲＵ（Ｐｓｃ−ｎｌ）−１まで順次リナンバリングされ、論理的に連続した上記リナンバリングされたデータサブキャリアは、ＬＤＲＵ・Ｌｐａｉｒ，ｌ個のデータサブキャリアペアにグルーピングされ、インデックス０からＬＤＲＵ・Ｌｐａｉｒ，ｌ−１までリナンバリングされ、
論理的に連続した上記トーン―ペア（ｉ・Ｌｐａｉｒ，ｌ；（ｉ＋１）・Ｌｐａｉｒ，ｌ−１）は、予め決定されたパーミューテーション公式によってパーミューティングされ、ｉ番目の分散論理資源ユニットにマッピングされ（ただし、ｉ＝０、１、…、ＬＤＲＵ−１）、
上記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、上記Ｐｓｃは、上記物理資源ユニット内のＯＦＤＭＡシンボルでのサブキャリアの個数を示し、Ｌｐａｉｒ，ｌ＝（Ｐｓｃ−ｎｌ）／２である、無線通信方法。
（項目２）
上記交換するのは、上記物理資源ユニットを上記基地局から上記移動通信端末に送信することを含む、項目１に記載の無線通信方法。
（項目３）
上記交換するのは、上記移動通信端末で上記基地局から上記物理資源ユニットを受信することを含む、項目１に記載の無線通信方法。
（項目４）
上記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックス（０＜＝ｓ＜ＬＤＲＵ）で、ｍは、上記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、項目１に記載の無線通信方法。
（項目５）
移動通信端末と基地局との間で無線で通信する方法であって、
上記基地局と上記移動通信端末との間で物理資源ユニット（ｐｈｙｓｉｃａｌ  ｒｅｓｏｕｒｃｅ  ｕｎｉｔ、ＰＲＵ）を交換することを含み、
上記物理資源ユニットは、複数のＯＦＤＭＡシンボルを含み、
上記交換するのは、
それぞれのｌ番目のＯＦＤＭＡシンボルに対して、予め決定されたパイロット割り当て方式によってｎｌ個のパイロットを割り当て、
上記ｌ番目のＯＦＤＭＡシンボルのうち残っているＬＤＲＵ・（Ｐｓｃ−ｎｌ）個のデータサブキャリアをインデックス０からＬＤＲＵ（Ｐｓｃ−ｎｌ）−１まで順次リナンバリングし、論理的に連続した上記リナンバリングされたデータサブキャリアをＬＤＲＵ・Ｌｐａｉｒ，ｌ個のデータサブキャリアペアにグルーピングし、インデックス０からＬＤＲＵ・Ｌｐａｉｒ，ｌ−１までリナンバリングし、
論理的に連続した上記トーン―ペア（ｉ・Ｌｐａｉｒ，ｌ；（ｉ＋１）・Ｌｐａｉｒ，ｌ−１）を、予め決定されたパーミュテーション公式によってパーミューティングし、ｉ番目の分散論理資源ユニットにマッピングする（ただし、ｉ＝０、１、…、ＬＤＲＵ−１）ことを含み、
上記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、上記Ｐｓｃは、上記物理資源ユニット内のＯＦＤＭＡシンボルでの各サブキャリアの個数を示し、Ｌｐａｉｒ，ｌ＝（Ｐｓｃ−ｎｌ）／２である、無線通信方法。
（項目６）
上記交換するのは、上記基地局から上記移動通信端末に上記物理資源ユニットを送信することを含む、項目５に記載の無線通信方法。
（項目７）
上記交換するのは、上記無線通信端末で上記基地局から上記物理資源ユニットを受信することを含む、項目５に記載の無線通信方法。
（項目８）
上記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックスで（０＜＝ｓ＜ＬＤＲＵ）、ｍは、上記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、項目５に記載の無線通信方法。
（項目９）
他の装置と無線で通信するようになっている無線通信装置であって、
メモリと、
該メモリに作動可能に連結されており、上記他の装置と物理資源ユニット（ｐｈｙｓｉｃａｌ  ｒｅｓｏｕｒｃｅ  ｕｎｉｔ、ＰＲＵ）を交換するようになっているプロセッサと、を含み、
上記物理資源ユニットは、複数のＯＦＤＭＡシンボルを含み、
それぞれのｌ番目のＯＦＤＭＡシンボルは、予め決定されたパイロット割り当て方式によって割り当てられるｎｌ個のパイロットを含み、
上記ｌ番目のＯＦＤＭＡシンボルのうち残っているＬＤＲＵ・（Ｐｓｃ−ｎｌ）個のデータサブキャリアは、インデックス０からＬＤＲＵ・（Ｐｓｃ−ｎｌ）−１まで順次リナンバリングされ、論理的に連続した上記リナンバリングされたデータサブキャリアは、ＬＤＲＵ・Ｌｐａｉｒ，ｌ個のデータサブキャリアペアにグルーピングされ、インデックス０からＬＤＲＵ・Ｌｐａｉｒ，ｌ−１までリナンバリングされ、
論理的に連続した上記トーン―ペア（ｉ・Ｌｐａｉｒ，ｌ；（ｉ＋１）・Ｌｐａｉｒ，ｌ−１）は、予め決定されたパーミュテーション公式によってパーミューティングされ、ｉ番目の分散論理資源ユニットにマッピングされ（ただし、ｉ＝０、１、…、ＬＤＲＵ−１）、
上記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、上記Ｐｓｃは、上記物理資源ユニット内のＯＦＤＭＡシンボルでのサブキャリアの個数を示し、Ｌｐａｉｒ，ｌ＝（Ｐｓｃ−ｎｌ）／２である、無線通信装置。
（項目１０）
上記通信装置は移動通信ネットワークの基地局で、上記基地局は、上記ＰＲＵをエンコーディングして送信するようになっている、項目９に記載の無線通信装置。
（項目１１）
上記通信装置は、移動通信ネットワーク内の移動通信端末で、上記移動通信端末は、上記物理資源ユニットを受信してデコーディングするようになっている、項目９に記載の無線通信装置。
（項目１２）
上記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックスで（０＜＝ｓ＜ＬＤＲＵ）、ｍは、上記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、項目９に記載の無線通信装置。